(57)【特許請求の範囲】
【請求項１】
動画像を再生する動画像再生手段と、
上記動画像再生手段で再生された動画像を静止画像として取り込む静止画像取込手段と、
上記静止画像取込手段で取り込まれた静止画像をフィールド画像からフレーム画像に変換する変換手段と、
上記静止画像を記憶する記憶手段と、
上記静止画像を上記記憶手段に記録する記録手段と、
上記動画像及び上記静止画像を表示する表示手段と、
少なくとも２段階の押圧ポジションからなる押圧手段による押圧動作により、上記動画像再生手段で再生された動画像を上記静止画像として上記記憶手段に記録することを示す記録コマンドを生成するコマンド生成手段とを備え、
上記押圧手段が１段階目の押圧ポジションまで押圧されたときに上記記録コマンド生成手段から生成される記録コマンドに応じて上記静止画像取込手段で動画像から静止画像を取り込んで上記変換手段によりフレーム画像に変換するとともに上記動画像再生手段からの動画像の再生を停止させ、さらに上記押圧手段が２段階目の押圧ポジションまで押圧されたときに上記記録コマンド生成手段から生成される記録コマンドに応じて、このフレーム画像に変換された静止画像を上記記憶手段に上記記録手段で記録させ、再び上記動画像再生手段で動画像を再生させるとともにこの再生される動画像を上記表示手段に表示させること
を特徴とする静止画像記録装置。
【請求項２】
上記変換手段は、上記静止画像取込手段で取り込まれた静止画像をフィールド画像からフレーム画像に変換するとともに、この静止画像を圧縮及び伸張し、
上記記録コマンド生成手段は、上記記録コマンドを生成し、上記静止画像取込手段に動画像から静止画像を取り込ませて上記変換手段に圧縮及び伸長したフレーム画像に変換させるとともに上記動画像再生手段からの動画像の再生を停止させ、上記変換手段により伸張されたフレーム画像を上記表示手段により表示させるとともに上記変換手段により圧縮されたフレーム画像を上記記憶手段に上記記録手段で記録させ、再び動画像再生手段で動画像を再生させるとともにこの動画像を上記表示手段に表示させること
を特徴とする請求項１記載の静止画像記録装置。
【請求項３】
動画像再生手段により再生された動画像を静止画像として記録媒体に記録するとともに、この動画像及び静止画像を表示する表示手段を有する記録装置の静止画像記録方法において、
上記静止画像を上記記録媒体に記録することを示す記録コマンドに応じて上記動画像から静止画像を取り込むとともにこの動画像の再生処理を停止する停止工程と、
上記取り込んだ静止画像をフィールド画像からフレーム画像に変換する変換工程と、
上記フレーム画像に変換した静止画像を上記記録媒体に記録するとともに、この静止画像を上記表示手段に表示する記録表示工程と、
上記動画像の再生処理の停止を解除するとともにこの解除後に再生される動画像を上記表示手段に表示する解除工程とからなり、
上記記録コマンドは、所定の押圧手段が１段階目の押圧ポジションまで押圧されたときに上記停止工程と上記変換工程とを行い、さらに上記押圧手段が２段階目の押圧ポジションまで押圧されたときに上記記録表示工程とを行うコマンドであること
を特徴とする静止画像記録方法。
【請求項４】
上記変換工程では、上記取り込んだ静止画像をフィールド画像からフレーム画像に変換するとともに、この静止画像を圧縮及び伸張し、
上記記録表示工程では、上記伸張されたフレーム画像を上記表示手段に表示するとともに、上記圧縮されたフレーム画像を上記記録媒体に記録することを特徴とする請求項３記載の静止画像記録方法。
【請求項５】
撮像手段と、
上記撮像手段から得た撮像信号から動画像または静止画像を生成する映像信号生成手段と、
上記映像信号生成手段により生成された動画像を第一の記録媒体に記録するとともに、この第一の記録媒体に記録された動画像を再生し、この再生した動画像を静止画像として第二の記録媒体に記録する記録再生手段と、
少なくとも２段階の押圧ポジションからなる押圧手段による押圧動作により、上記第一の記録媒体に記録された動画像を、上記静止画像として上記第二の記録媒体に記録することを示す記録コマンドを生成するコマンド生成手段と、
上記動画像及び上記静止画像を表示する表示手段とを備え、
上記記録再生手段は、上記押圧手段が１段階目の押圧ポジションまで押圧されたときに上記コマンド生成手段から生成されるコマンドに応じて、上記第一の記録媒体から再生した動画像から上記静止画像を取り込んで上記変換手段によりフレーム画像に変換するとともにこの動画像の再生を停止し、さらに上記押圧手段が２段階目の押圧ポジションまで押圧されたときに上記記録コマンド生成手段から生成される記録コマンドに応じて、このフレーム画像に変換された静止画像を上記表示手段に表示するとともにこの静止画像を上記第二の記録媒体に記録して、その後上記動画像の再生処理の停止を解除するとともにこの解除後に再生する動画像を上記表示手段に表示すること
を特徴とする撮像装置。
【請求項６】
上記記録再生手段は、上記コマンド生成手段によるコマンドに応じて、上記第一の記録媒体から再生した動画像から上記静止画像を取り込んで圧縮及び伸長したフレーム画像に変換するとともにこの動画像の再生を停止し、上記伸張されたフレーム画像を上記表示手段に表示するとともに上記圧縮されたフレーム画像を上記第二の記録媒体に記録して、その後動画像の再生停止を解除するとともにこの解除後に再生する動画像を上記表示手段に表示すること
を特徴とする請求項５記載の撮像装置。
【発明の詳細な説明】
【０００１】
【発明の属する技術分野】
本発明は、例えば撮像した動画像を静止画像として取り込んで記録媒体に記録する静止画像記録装置及び方法並びに撮像装置に関する。
【０００２】
【従来の技術】
従来の動画像又は静止画像を記録再生する記録再生装置において、再生している動画像から静止画像を取り込むときには、ユーザが動画像から静止画像を取り込んで記録する旨の記録コマンドを受け付けたときに再生されている動画像を静止画像として取り込む処理を行っていた。このとき、記録再生装置は、動画像が記録されているテープ状記録媒体からの再生処理を停止させずに動画像から静止画像を取り込んで記録する処理を行っていた。
【０００３】
また、従来の記録再生装置においては、再生されている動画像から静止画像を取り込んで記録するとき、記録されている動画像がフィールド画像であると、フィールド画像のまま静止画像を記録する処理を行っていた。
【０００４】
【発明が解決しようとする課題】
しかし、上述の記録再生装置においては、例えばテープ状記録媒体に記録された動画像の再生中に静止画像を記録する旨の記録コマンドを受け付けるとともに、表示パネルにコマンドを受け付けたときの静止画像を表示すると、静止画像を記録している間にテープ状記録媒体から再生されている動画像が進行し、静止画像を記録する旨の記録コマンドを受け付けた直後の動画像を静止画像として記録することができないという問題点がある。
【０００５】
また、従来の記録再生装置において、静止画像を記録する旨の記録コマンドを受け付けたときに表示パネルに動画像を表示し続けると、記録中の静止画像を確認することができないという問題点がある。
【０００６】
更に、従来の記録再生装置は、フィールド画像の動画像を取り込んでフィールド画像の静止画像として記録する処理を行っているので、画質の良好なフレーム画像を記録することができないという問題点がある。
【０００７】
そこで、本発明は、上述した従来の問題点に鑑みて提案されたものであり、動画像から静止画像として取り込んで記録するとき、記録コマンドを受け付けた直後の動画像から静止画像として取り込んで記録するとともに記録中の静止画像を確認することができる静止画像記録装置及び方法並びに撮像装置を提供することを目的とする。
【０００８】
更に、本発明は、動画像から静止画像を取り込んで記録するとき、高画質の静止画像を記録することができる静止画像記録装置及び方法並びに撮像装置を提供することを目的とする。
【０００９】
【課題を解決するための手段】
上述の課題を解決する本発明に係る静止画像記録装置は、動画像を再生する動画像再生手段と、上記動画像再生手段で再生された動画像を静止画像として取り込む静止画像取込手段と、上記静止画像取込手段で取り込まれた静止画像をフィールド画像からフレーム画像に変換する変換手段と、上記静止画像を記憶する記憶手段と、上記静止画像を上記記憶手段に記録する記録手段と、上記動画像及び上記静止画像を表示する表示手段と、少なくとも２段階の押圧ポジションからなる押圧手段による押圧動作により、上記動画像再生手段で再生された動画像を上記静止画像として上記記憶手段に記録することを示す記録コマンドを生成するコマンド生成手段とを備える。
【００１０】
このような静止画像記録装置は、上記押圧手段が１段階目の押圧ポジションまで押圧されたときに上記記録コマンド生成手段から生成される記録コマンドに応じて上記静止画像取込手段で動画像から静止画像を取り込んで上記変換手段によりフレーム画像に変換するとともに上記動画像再生手段からの動画像の再生を停止させ、さらに上記押圧手段が２段階目の押圧ポジションまで押圧されたときに上記記録コマンド生成手段から生成される記録コマンドに応じて、このフレーム画像に変換された静止画像を上記記憶手段に上記記録手段で記録させ、再び動画像再生手段で動画像を再生させるとともにこの再生される動画像を上記表示手段に表示させる処理を行う。
【００１１】
また、本発明は、動画像再生手段により再生された動画像を静止画像として記録媒体に記録するとともに、この動画像及び静止画像を表示する表示手段を有する記録装置の静止画像記録方法であって、上記静止画像を上記記録媒体に記録することを示す記録コマンドに応じて動画像から静止画像を取り込むとともにこの動画像の再生処理を停止する停止工程と、上記取り込んだ静止画像をフィールド画像からフレーム画像に変換する変換工程と、上記フレーム画像に変換した静止画像を上記記録媒体に記録するとともに、この静止画像を上記表示手段に表示する記録表示工程と、上記動画像の再生処理の停止を解除するとともにこの解除後に再生される動画像を上記表示手段に表示する解除工程とからなり、上記記録コマンドは、所定の押圧手段が１段階目の押圧ポジションまで押圧されたときに上記停止工程と上記変換工程とを行い、さらに上記押圧手段が２段階目の押圧ポジションまで押圧されたときに上記記録表示工程とを行うコマンドであることを特徴とする。
【００１２】
さらに、本発明に係る撮像装置は、撮像手段と、上記撮像手段から得た撮像信号から動画像または静止画像を生成する映像信号生成手段と、上記映像信号生成手段により生成された動画像を第一の記録媒体に記録するとともに、この第一の記録媒体に記録された動画像を再生し、この再生した動画像を静止画像として第二の記録媒体に記録する記録再生手段と、少なくとも２段階の押圧ポジションからなる押圧手段による押圧動作により、上記第一の記録媒体に記録された動画像を、上記静止画像として上記第二の記録媒体に記録することを示す記録コマンドを生成するコマンド生成手段と、上記動画像及び上記静止画像を表示する表示手段とを備え、上記記録再生手段は、上記押圧手段が１段階目の押圧ポジションまで押圧されたときに上記コマンド生成手段から生成されるコマンドに応じて、上記第一の記録媒体から再生した動画像から上記静止画像を取り込んで上記変換手段によりフレーム画像に変換するとともにこの動画像の再生を停止し、さらに上記押圧手段が２段階目の押圧ポジションまで押圧されたときに上記記録コマンド生成手段から生成される記録コマンドに応じて、このフレーム画像に変換された静止画像を上記表示手段に表示するとともにこのフレーム画像を上記第二の記録媒体に記録して、その後上記動画像の再生処理の停止を解除するとともにこの解除後に再生する動画像を上記表示手段に表示することを特徴とする。
【００１３】
【発明の実施の形態】
以下、本発明の実施の形態について図面を参照しながら詳細に説明する。
【００１４】
本発明は、例えば図１に示すような構成のカムコーダ１に適用される。このカムコーダ１は、被写体を撮像して映像信号を生成するカメラ処理部２と、カムコーダ１の動作モードに応じて各部を制御するモードコントロール部３と、モードコントロール部３に操作命令を与える操作入力部４と、モードコントロール部３からの操作信号に応じてテープ状記録媒体１０を制御するテープ制御部５と、静止画像を示す映像信号に所定の画像処理を施す画像処理部６と、モードコントロール部３からの操作信号に応じてメモリカード１１を制御するメモリ制御部７と、動画像又は静止画像を表示する表示部８とを備える。
【００１５】
カメラ処理部２は、例えば固体撮像素子を備えたＣＣＤイメージャ等を備えてなり、入射した光に応じて動画像又は静止画像を示す映像信号を生成する。このカメラ処理部２は、カメラ装置１の動作モードを示すモードコントロール部３からの制御信号に応じて静止画像を示す映像信号又は動画像を示す映像信号を生成する。このカメラ処理部２は、生成した映像信号を画像処理部６に出力する。
【００１６】
操作入力部４は、ユーザにより操作されるシャッタボタン、各種ボタン等を供える。この操作入力部４は、ユーザにより各種のボタンが押圧されることで操作命令を生成し、当該操作命令をモードコントロール部３に出力する。この操作入力部４としては、例えば動画像の再生中に動画像から静止画像をキャプチャするときに押圧されるボタンがあり、当該ボタンが押圧されることで、動画像から静止画像を取り込んで記録する旨を示す操作命令を生成する。
【００１７】
テープ制御部５は、モードコントロール部３からの操作信号に応じてテープ状記録媒体１０の記録、再生又は一時停止等の制御をする。また、このテープ制御部５は、テープ状記録媒体１０へ動画像又は静止画像を示す映像信号の記録再生処理を行う記録再生機構を備える。このテープ制御部５は、テープ状記録媒体１０に映像信号の記録を行うときには、画像処理部６からの映像信号に所定の信号処理を施してテープ状記録媒体１０に映像信号を記録する。また、このテープ制御部５は、テープ状記録媒体１０に記録されている映像信号の再生を行うときには、テープ状記録媒体１０に記録された映像信号の再生処理を行って画像処理部６に再生した映像信号を出力する。更に、このテープ制御部５は、テープ状記録媒体１０に記録された動画像を再生しているときにモードコントロール部３からの操作命令に応じて動画像から静止画像をキャプチャして画像処理部６に出力する処理を行う。
【００１８】
テープ状記録媒体１０は、テープ制御部５からＤＶ規格に準じたフォーマット形式の映像信号が記録されるとともに、記録された映像信号が読み出される媒体である。このテープ状記録媒体１０としては、例えばテープ上の媒体に映像信号が残留磁化として記録される磁気テープを利用することができる。
【００１９】
画像処理部６は、モードコントロール部３からの操作信号に応じて静止画像を示す映像信号の圧縮伸長処理、フレームとフィールド間の変換処理等を行う。この画像処理部６は、図２に示すように、モードコントロール部３からの操作信号に応じて処理を行う静止画マイコン２１と、テープ制御部５、メモリ制御部７及び表示部８と接続されたＩ／Ｆ用ゲートアレイ２２と、Ｉ／Ｆ用ゲートアレイ２２からの静止画像を示す映像信号を記憶する第１のメモリ２３と、静止画像を示す映像信号に圧縮伸長処理を施す圧縮伸長処理部２４と、圧縮処理が施された映像信号を記憶する第２のメモリ２５と、静止画像を示す映像信号にフレーム画像とフィールド画像との間の変換を行うフレーム／フィールド変換部２６とを有する。
【００２０】
Ｉ／Ｆ用ゲートアレイ２２は、カメラ処理部２、テープ制御部５及びメモリ制御部７から静止画像を示す映像信号が入力されるとともに、静止画マイコン２１からの制御信号に応じてテープ制御部５、メモリ制御部７及び表示部８に静止画像を示す映像信号を出力する。また、このＩ／Ｆ用ゲートアレイ２２は、静止画マイコン２１からの制御信号に応じて、静止画像を示す映像信号を第１のメモリ２３に格納する処理を行う。
【００２１】
この第１のメモリ２３は、例えば容量が約４Ｍｂｉｔの不揮発性半導体メモリからなり、Ｉ／Ｆ用ゲートアレイ２２を介して静止画像を示す映像信号が入力される。この第１のメモリ２３に格納された映像信号は、Ｉ／Ｆ用ゲートアレイ２２により読み込まれ、８ビットのデータとしてデータバスを介して圧縮伸長処理部２４又はフレーム／フィールド変換部２６に入力される。ここで、Ｉ／Ｆ用ゲートアレイ２２は、静止画マイコン２１からアドレスバスを介して入力される制御信号に基づいて第１のメモリ２３に格納されている映像信号を読み込み、圧縮伸長処理部２４又はフレーム／フィールド変換部２６に出力する。
【００２２】
圧縮伸長処理部２４は、静止画像を示す映像信号がＩ／Ｆ用ゲートアレイ２２を経由して入力され、当該映像信号に例えばＪＰＥＧ方式で圧縮処理を施す。この圧縮伸長処理部２４は、モードコントロール部３からの操作信号により指定された所定の圧縮率を示す静止画マイコン２１からの制御信号に応じて圧縮処理を映像信号に施す。また、この圧縮伸長処理部２４は、静止画マイコン２１から例えば静止画像を表示することを示す制御命令に応じてメモリ制御部７から入力された映像信号に伸長処理を施す。そして、この圧縮伸長処理部２４は、伸長処理を施した映像信号をＩ／Ｆ用ゲートアレイ２２に出力する。
【００２３】
第２のメモリ２３は、上述の圧縮伸長処理部２４で圧縮処理が施された静止画像を示す映像信号が入力される。このとき、圧縮伸長処理部２４は、静止画マイコン２１からアドレスバスを介して入力される制御信号に応じて第２のメモリ２５に所定のアドレスに映像信号を記憶する。
【００２４】
フレーム／フィールド変換部２６は、第１のメモリ２３に格納された静止画像を示す映像信号が入力され、静止画マイコン２１からの制御信号に応じて当該映像信号にフレーミング処理又はデフレーミング処理を施す。このフレーム／フィールド変換部２６は、フレーミング処理を施すことによりフィールド画像をフレーム画像に変換し、デフレーミング処理を施すことによりフレーム画像をフィールド画像に変換する。
【００２５】
メモリ制御部７は、モードコントロール部３からの制御信号に応じて、メモリカード１１に記録された静止画像を示す映像信号を再生して静止画マイコン２１に出力するとともに、メモリカード１１から入力された静止画像を示す映像信号をメモリカード１１に記録する。このメモリ制御部７に入力される静止画像を示す映像信号は、上述の圧縮伸長処理部２４で圧縮処理が施されたものであり、ユーザの選択によりフレーム／フィールド変換部２６でフレーム画像又はフィールド画像となされている。また、このメモリ制御部７は、モードコントロール部３からの制御信号に応じて、メモリカード１１に静止画像の記録が終了した旨の信号をモードコントロール部３に出力する。
【００２６】
カードメモリ１１は、ＰＣＭＣＩＡ（personal computer card international association）規格に準じたＰＣカードである。このメモリカード１１は、約２Ｍｂｉｔの容量を有し、第２のメモリ２５に格納された映像信号がメモリ制御部７を介して入力される。
【００２７】
モードコントロール部３は、メモリカード１１からの操作命令に応じてカムコーダ１をテープ状記録媒体１０に記録された動画像を再生するＶＴＲモード、カメラ処理部２で静止画像を撮像するカメラモード及びメモリカード１１に静止画像を記録するメモリモードとするように上述のカメラ処理部２、テープ制御部５、画像処理部６及びメモリ制御部７に操作信号を出力する。また、このモードコントロール部３は、操作入力部４からの操作命令に応じて、カメラ処理部２で撮像した画像を記録する旨を示す操作信号、テープ状記録媒体１０に記録された動画像の再生する旨を示す操作信号、メモリカード１１に静止画像を記録する旨を示す操作信号等を各部に出力する。
【００２８】
つぎに、上述のカムコーダ１で再生している動画像をキャプチャしてメモリカード１１に記録するときの一例について図３に示すフローチャートを参照して説明する。
【００２９】
先ず、ステップＳ１において、ユーザにより操作入力部４が操作されることにより、テープ状記録媒体１０に記録された記録媒体を再生して表示する旨の操作命令がモードコントロール部３に入力されステップＳ２に進む。
【００３０】
ステップＳ２において、モードコントロール部３は、当該入力された操作命令に応じてテープ制御部５、画像処理部６に操作信号を出力することにより、テープ状記録媒体１０に記録された動画像を示す映像信号をテープ制御部５で再生処理させ、再生処理された映像信号を画像処理部６で伸長処理等を施して表示部８に表示するように制御する。このとき、画像処理部６内の静止画マイコン２１は、モードコントロール部３からの操作信号に応じてフレーム／フィールド変換部２６によりフィールド画像として映像信号をＩ／Ｆ用ゲートアレイ２２を介して表示部８に出力するように制御する。
【００３１】
ステップＳ３において、モードコントロール部３は、操作入力部４が操作されることで、動画像を取り込んで静止画像としてメモリカード１１に記録する記録要求を示す操作命令が入力されたか否かを判定する。そして、モードコントロール部３は、記録要求を示す操作命令を入力したと判定したときには、ステップＳ４に進み、記録要求を示す操作命令を入力していないと判定したときにはステップＳ２に戻り、テープ状記録媒体１０に記録されている映像信号の再生を続ける。
【００３２】
ステップＳ４において、モードコントロール部３は、操作入力部４からの記録要求に応じて、テープ制御部５で行っている再生処理を停止するように操作信号を出力する。これにより、モードコントロール部３は、テープ制御部５によるテープ状記録媒体１０からの再生処理を一時停止させ、記録命令が入力されたときにおける動画像を取り込んだ静止画像を画像処理部６に出力する。
【００３３】
ステップＳ５において、モードコントロール部３は、上述のステップＳ４においてキャプチャした静止画像を示す映像信号に所定の画像処理を施すように制御する。すなわち、モードコントロール部３は、画像処理部６の静止画マイコン２１を制御することにより、Ｉ／Ｆ用ゲートアレイ２２に入力された静止画像の伸長処理を行わせるとともに、フィールド画像として静止画像が入力されたときにはフレーム画像とするように変換処理を行わせるように制御してステップＳ６に進む。このとき、画像処理部６は、伸長処理を施した映像信号をＩ／Ｆ用ゲートアレイ２２を介して表示部８に出力することにより、キャプチャした静止画像を表示部８に表示する。なお、このステップＳ５においては、フレーム画像となるようにフレーム／フィールド変換部２６を用いて変換したときであっても、ユーザの選択によりモードコントロール部３からフィールド画像としてメモリカード１１に記録する旨の操作信号が画像処理部６に入力されたときには、フレーム画像を再びフィールド画像に変換して、メモリ制御部７に出力する。
【００３４】
ステップＳ６において、モードコントロール部３は、画像処理部６で上述した静止画像を示す映像信号をメモリ制御部７に出力するように操作命令を画像処理部６に与え、メモリ制御部７によりキャプチャしたときの静止画像を示す映像信号をメモリカード１１に記録してステップＳ７に進む。
【００３５】
ステップＳ７において、モードコントロール部３は、上述のステップＳ６において行ったメモリカード１１への静止画像を示す映像信号の記録が終了したか否かを判定する。そして、モードコントロール部３は、メモリカード１１への記録が終了したと判定したときにはステップＳ２に戻り、メモリカード１１への記録が終了していないと判定したときにはステップＳ６に戻ってメモリカード１１への記録を終了させるまでステップＳ６の処理を行う。
【００３６】
したがって、図３に示したフローチャートに示すような処理を行うカムコーダ１は、ユーザが動画像をキャプチャしてメモリカード１１に記録する記録要求をしたときにはテープ状記録媒体１０に記録された映像信号の再生を一時停止状態とし、メモリカード１１に記録する処理を行った後に再び再生を開始するので、再び再生を開始したときに記録要求を受け付けた直後の動画像からユーザに表示することができ、記録要求を受け付けた直後の動画像をキャプチャして静止画像としてメモリカード１１に記録することができる。また、このカムコーダ１によれば、記録要求を受け付けるとともにキャプチャしたときの静止画像を表示するので、ユーザがメモリカード１１に記録する静止画像を確認させることができる。
【００３７】
更に、このカムコーダ１によれば、記録要求に応じてキャプチャした静止画像がフィールド画像であるときにはフレーム／フィールド変換部２６でフレーム画像とするので、例えばテープ状記録媒体１０に記録されている動画像がフィールド画像であっても、フレーム画像としてメモリカード１１に記録することができ、高画質の静止画像を記録することができる。
【００３８】
つぎに、上述したカムコーダ１の外観構成を図４に示す。表示部８として電子ビューファインダ３０Ｂ及び電子液晶パネル３０Ａがカメラ本体３１に設けられているとともに、上記操作入力部４としてズーム操作レバー３２Ａ、動作モード切換レバー３２Ｂ、静止画撮像用操作ボタン３２Ｃ等の各種設定操作ボタンが上記カメラ本体３１に配設されている。
【００３９】
上記ズーム操作レバー３２Ａは、その操作位置に応じたズーム動作を示す操作命令をモードコントロール部３に与える。そして、モードコントロール部３は、カメラ処理部２の撮像レンズのズーム駆動部を上記ズーム動作を示す操作命令に応じて制御する。
【００４０】
また、動作モード切換レバー３２Ｂは、図５に示すように、
ポジション１：ＶＴＲ
ポジション２：オフ
ポジション３：ＣＡＭ
ポジション４：メモリー
の４つの切換設定ポジションを有しており、各ポジションに対応した操作命令をモードコントロール部３に与える。また、静止画撮影用操作ボタン３２Ｃは、２段階で押圧され、１段階目の押圧ポジションと２段階目の押圧ポジションに対応した操作命令をモードコントロール部３に与える。そして、モードコントロール部３は、上述の画像処理部６、カメラ処理部２等を操作信号に応じて下記表１に示すように制御する。
【００４１】
【表１】
0004462660.tif 000002
【００４２】
すなわち、このカムコーダ１において、モードコントロール部３は、動作モード切換レバー３２Ｂがポジション１にあるときに、このカムコーダ１をＶＴＲモードに設定する。ＶＴＲモードにおいて、モードコントロール部３は、図示しないＶＴＲ操作ボタンの操作命令を受け付けて、その操作命令に応じてカメラ処理部２からテープ状記録媒体に記録する制御を行い、例えば再生ボタンが操作されれば再生を開始するようにテープ制御部５を制御する。
【００４３】
また、モードコントロール部３は、動作モード切換レバー３２Ｂがポジション２にあるときに、カムコーダ１を動作停止状態にする。
【００４４】
また、モードコントロール部３は、動作モード切換レバー３２Ｂがポジション３にあるときに、カムコーダ１をカメラモードに設定する。カメラモードにおいて、モードコントロール部３は、カメラ処理部２を作動させて、映像信号による画像を表示部８すなわち電子ビューファインダ３０Ｂ又は液晶表示パネル３０Ａに表示させる。そして、この撮像スタンバイ状態でスタート／ストップボタン３２Ｄの操作入力を受け付けると記録を終了して撮像スタンバイ状態に戻る。
【００４５】
また、モードコントロール部３は、カメラモードとなされたときには、その旨を示す操作信号を静止画マイコン９に与え、静止画撮影用操作ボタン３２Ｃの押圧操作による操作信号を受け付ける。撮像スタンバイ状態で静止画撮影用操作ボタン３２Ｃの押圧操作による操作信号を受け付けた場合には、静止画撮影用操作ボタン３２Ｃの１段階目の押圧ポジションにおいて、カメラ処理部２により得られた映像信号を静止画としてキャプチャし、表示部８に表示し、さらに、静止画撮影用操作ボタン３２Ｃの２段階目の押圧ポジションまで押圧されたときに、キャプチャした静止画を所定時間（この例では７秒間）記録する。なお、記録中の音声も記録される。また、静止画撮影用操作ボタン３２Ｃを２段階目の押圧ポジションまで押圧せずに、押圧を解除すれば、記録する静止画を選び直すことができる。さらに、カメラ録画中に静止画撮影用操作ボタン３２Ｃが押圧操作された場合には、モードコントロール部３は、そのときの画像を静止画として所定時間記録し、記録終了後に撮像スタンバイ状態に戻る。
【００４６】
また、モードコントロール部３は、動作モード切換レバー３２Ｂがポジション４にあるときに、このカムコーダ１をメモリーモードに設定する。
【００４７】
モードコントロール部３は、このメモリーモードにおいて、カメラ処理部２の動作モードを全画素読み出しモードに強制的に切り換える。そして、モードコントロール部３は、このメモリーモードにおいて、静止画撮影用操作ボタン３２Ｃの押圧操作による操作命令を受け付けると、静止画撮影用操作ボタン３２Ｃの１段階目の押圧ポジションにおいて、カメラ処理部２又はテープ状記録媒体１０から再生された動画像をフレーム信号として映像信号をキャプチャし、表示部８に表示する。このとき、モードコントロール部３は、静止画撮影用操作ボタン３２Ｃが１段階目の押圧ポジションまで押圧されたとき、テープ制御部５にテープ状記録媒体１０の再生動作を停止するように制御する。
【００４８】
さらに、静止画撮像用操作ボタン３２Ｃの２段階目の押圧ポジションまで押圧されたときに、キャプチャした静止画をメモリカード１１に記録する。そして、モードコントロール部３は、メモリカード１１への記録が終了した旨の信号をメモリ制御部７から受け付けたときには再びテープ状記録媒体１０に記録されている動画像の再生を開始するようにテープ制御部５を制御する。
【００４９】
なお、静止画撮影用操作ボタン３２Ｃを２段階目の押圧ポジションまで押圧せずに、押圧を解除すれば、カードメモリ７に記録する静止画を選び直すことができる。
【００５０】
【発明の効果】
以上詳細に説明したように、本発明に係る記録再生装置は、記録コマンド生成手段からの記録コマンドに応じて静止画像取込手段で動画像から静止画像を抽出するとともに動画像生成手段からの動画像の生成を停止させ、変換手段で抽出した静止画像の変換させて静止画像を記憶手段に記録手段で記録させ、再び動画像生成手段で動画像の生成させる処理を行うので、動画像から静止画像を取り込んで記録するとき、記録コマンドを受け付けた直後の動画像から静止画像を取り込んで記録することができ、記録中の静止画像を確認することができる。
【００５１】
また、本発明に係る記録再生装置は、静止画像取込手段で抽出された静止画像をフィールド画像からフレーム画像に変換する変換手段を備えているので、フィールド画像の動画像であっても、フレーム画像に変換することができ、高画質の静止画像を記録することができる。
【００５２】
本発明に係る静止画像記録方法は、記録コマンドに応じて動画像を停止させて静止画像を記録媒体に記録する処理を行い、静止画像の記録媒体への記録を終了したら、動画像の停止を解除するので、動画像から静止画像を取り込んで記録するとき、記録コマンドを受け付けた直後の動画像から静止画像を取り込んで記録することができ、記録中の静止画像を確認することができる。
【００５３】
また、本発明では、取り込んだ静止画像をフィールド画像からフレーム画像に変換して記録するので、フィールド画像の動画像であっても、高画質の静止画像として記録することができる。
また、本発明では、記録コマンドに応じて、所定の押圧手段が１段階目の押圧ポジションまで押圧されたときに、動画像から静止画像を取り込んで上記変換手段によりフレーム画像に変換するとともにこの動画像の再生処理を停止し、さらに押圧手段が２段階目の押圧ポジションまで押圧されたときに、このフレーム画像に変換した静止画像を記録媒体に記録するとともにこの静止画像を表示手段に表示して、動画像の再生処理の停止を解除するとともにこの解除後に再生される動画像を表示手段に表示するので、動画像から静止画像を取り込んで記録するとき、記録コマンドを受け付けた直後の動画像から静止画像を取り込んで記録することができ、また記録中の静止画像を確認することができ、さらに押圧手段を２段階目の押圧ポジションまで押圧せずに解除すれば第２の記録媒体に記録する静止画像を選び直すことができる。
また、本発明では、動画像から取り込まれた静止画像をフィールド画像からフレーム画像に変換するので、フィールド画像の動画像であっても、フレーム画像に変換することができ、高画質の静止画像を記録することができる。
【図面の簡単な説明】
【図１】本発明を適用したカムコーダの構成を示すブロック図である。
【図２】本発明を適用したカムコーダを構成する画像処理部の構成を示すブロック図である。
【図３】本発明を適用したカムコーダで動画像から静止画像を取り込んで記録するときの処理を説明するためのフローチャートである。
【図４】本発明を適用したカムコーダの外観構成図である。
【図５】動作モード切換レバーを切り換えることでカムコーダの動作モードを切り換えることを説明するための図である。
【符号の説明】
１  カムコーダ、２  カメラ処理部、４  操作入力部、６  画像処理部、７  メモリ制御部、１０  テープ状記録媒体、１１  メモリカード、２６  フレーム／フィールド変換部
【図１】
0004462660.tif 000003
【図２】
0004462660.tif 000004
【図３】
0004462660.tif 000005
【図４】
0004462660.tif 000006
【図５】
0004462660.tif 000007